(57)【要約】【課題】ＥＬ素子を発光部とした発光装置において、複数の発光領域を選択的に発光可能、かつ全面発光状態又は見かけ上全面発光状態において暗線を目立たないようにする。【解決手段】発光装置１１は透明電極１３と対向電極１５との間に有機ＥＬ層１４が挟まれた有機ＥＬ素子１６を発光部１７とし、複数の第１の領域１９及び第１の領域１９に挟まれた第２の領域２０を備えている。第２の領域２０は、非発光領域２０ａ及び発光領域２０ｂがそれぞれ複数存在する状態に形成されている。非発光領域２０ａは、透明電極１３の一部に孔１３ｂを形成することにより構成されている。孔１３ｂはその存在密度が第１の領域１９の透明電極１３の端子１３ａに近いほど高くなるように形成されている。【選択図】      図１
2006324600.tif 000002
【特許請求の範囲】
【請求項１】
第１電極と第２電極との間に発光層が設けられたエレクトロルミネッセンス素子を発光部とした発光装置であって、
前記第１電極は外部から電圧が印加される端子を有し、
複数の第１の領域と、前記第１の領域に挟まれた第２の領域とを備え、前記複数の第１の領域は発光状態と非発光状態とに切り替え可能であり、前記第１の領域の発光・非発光状態に拘わらず前記第２の領域が視認され難いように構成されている発光装置。
【請求項２】
前記第１電極、前記第２電極及び前記発光層は前記第１の領域及び前記第２の領域で共通の材料により形成され、前記第１電極は前記第２電極よりも体積抵抗率が高く、かつ透明な材料で形成され、前記第２の領域は前記第１電極の形成状態が前記第１の領域における第１電極の形成状態と異なる請求項１に記載の発光装置。
【請求項３】
前記第２の領域には、非発光領域及び発光領域がそれぞれ複数存在する請求項１又は請求項２に記載の発光装置。
【請求項４】
前記非発光領域は、ドット状に形成されるとともに、その存在密度が前記第１の発光領域の前記端子に近いほど高くなるように形成されている請求項３に記載の発光装置。
【請求項５】
前記第１電極は前記第２電極よりも体積抵抗率が高く、かつ透明な材料で形成され、前記第２の領域は前記第１電極の厚さが前記第１の領域における前記第１電極より薄く形成されている請求項１又は請求項２に記載の発光装置。
【請求項６】
前記第２の領域を構成する前記第１電極の厚さは、前記第１の領域の前記端子に近いほど薄くなるように形成されている請求項５に記載の発光装置。
【請求項７】
前記発光装置は光出射側に拡散部材を備えており、前記第２の領域は非発光領域により蛇行状態に形成されている請求項１に記載の発光装置。
【請求項８】
液晶パネルと、
前記液晶パネルの背面に設けられたバックライトと、
前記液晶パネルと前記バックライトとを制御する制御装置とを有する液晶表示装置であって、
前記バックライトは、請求項１〜７のいずれか１項に記載の発光装置であり、前記複数の第１の領域は、それぞれ前記液晶パネルの垂直走査方向と直交する方向に延びるように構成され、
前記制御装置は、前記バックライトの前記複数の第１の領域を、前記液晶パネルの垂直走査に同期して順に発光状態と非発光状態とに切り替え制御しており、少なくとも各第１の領域の直上にある液晶の表示データ書き替え期間は、当該第１の領域が非発光状態となるように前記バックライトを制御している液晶表示装置。
【請求項９】
第１電極と第２電極との間に発光層が設けられたエレクトロルミネッセンス素子を発光部とした発光装置であって、
前記第１電極及び第２電極はそれぞれベタ電極で構成され、前記第１電極は前記第２電極よりも体積抵抗率が高く、かつ透明な材料で形成され、前記第１電極は３個以上の端子を備えており、
電圧を印加する端子が異なると発光状態となる発光領域が異なり、
各端子は、当該端子に対応する発光領域の一部と、当該端子に隣接する端子に対応する発光領域の一部が重なるように設けられている発光装置。
【請求項１０】
前記発光部は長方形状に形成されており、前記発光部の両側に前記端子が対向する状態で複数ずつ設けられている請求項９に記載の発光装置。
【請求項１１】
液晶パネルと、
前記液晶パネルの背面に設けられたバックライトと、
前記液晶パネルと前記バックライトとを制御する制御装置とを有する液晶表示装置であって、
前記バックライトは、請求項９又は１０に記載の発光装置であり、
前記端子は、前記液晶パネルの垂直走査方向に沿って所定間隔で配置され、
各発光領域の直上にある液晶の表示データ書き替え期間は、当該発光領域は非発光状態となるように各端子への電圧の印加が制御されることを特徴とする液晶表示装置。
【発明の詳細な説明】
【技術分野】
【０００１】
本発明は、発光装置及び液晶表示装置に係り、詳しくは第１電極と第２電極との間に発光層が設けられたエレクトロルミネッセンス素子を発光部とした発光装置及び液晶表示装置に関する。
【背景技術】
【０００２】
液晶表示装置は、コンピュータ、携帯機器等の表示装置として広く用いられている。近年、これらの表示装置では周囲が暗くても表示が容易に認識できるようにバックライトが設けられるようになった。液晶表示装置として一つの液晶パネルを用いて複数画面の表示を行う装置が提案されている（例えば、特許文献１参照。）。特許文献１の液晶表示装置は、液晶パネルの隣り合う表示領域間に遮光壁を設けることにより、一方の表示領域に対応して配置されたバックライトからの光が他方の表示領域に入射されないようになっている。
【０００３】
また、表示品位を向上させるため、液晶表示装置のバックライトをＥＬパネル（以下、エレクトロルミネッセンスを適宜ＥＬと記載する。）で構成するとともに発光部を複数に分割して設け、各発光部を選択的に駆動可能とした構成も提案されている（例えば、特許文献２参照。）。特許文献２に記載された装置では、図１６に示すように、ＥＬパネル７１は、ＬＣＤパネルの表示領域に対し、表示単位である表示行毎に配設された複数の発光部７２Ａ，７２Ｂ，７２Ｃ，７２Ｄが設けられ、各発光部７２Ａ〜７２Ｄに対応してそれぞれ電極７３Ａ〜７３Ｄが設けられている。そして、ＥＬパネル７１をＬＣＤパネルのバックライトとして用いる場合、制御部によってＥＬパネル７１の発光部７２Ａ〜７２Ｄが選択駆動される。
【０００４】
また、液晶表示装置では静止画像だけでなく動画像の表示もなされる。そして、動画像の画質を改善する液晶表示装置として、ＬＥＤあるいは蛍光灯を光源にするとともに、特定の幅を有する線状光を液晶の走査方向と直交する方向に走査する走査型のバックライトを備えた表示装置が提案されている（例えば、特許文献３参照。）。
【特許文献１】特開２００４−１８４４９４号公報（明細書の段落［００４１］〜［００４５］、図５）
【特許文献２】特開２０００−７５８０２号公報（明細書の段落［００４８］〜［００５０］、図１１）
【特許文献３】特開２００２−６７６６号公報（明細書の段落［００５５］、図３）
【発明の開示】
【発明が解決しようとする課題】
【０００５】
特許文献２のＥＬパネル７１のように、発光部をＬＣＤパネルの表示単位である表示行毎に複数設けて分割駆動する構成では、複数の発光部７２Ａ〜７２Ｄの間の部分に常に発光しない線状の非発光部が存在する。このように、非発光部が存在する構成においては、隣り合う発光部を同時に点灯させた場合、非発光部のラインが視認される状態となり、バックライトとして好ましくない。
【０００６】
また、特許文献２には動画表示に関しては何ら記載はないが、ＥＬ素子をバックライトとして使用する場合、動画表示に対応するためＥＬ発光部を分割された線状に形成して、特許文献３に開示された装置のように、所謂擬似インパルス駆動を行うことが考えられる。擬似インパルス駆動の場合、ＬＣＤの画面全体を一度走査するのに必要な時間、即ち１フレーム時間の間に各発光部は発光状態と非発光状態とに切り替えられる。１フレーム時間内で各発光部が発光状態と非発光状態とに切り替えられても、人の目の残像によって見かけ上、全発光部が点灯しているように見える。しかし、隣接する発光部の間にある非発光部は常に非発光状態のため、暗線が視認される状態となり、バックライトとして好ましくない。
【０００７】
本発明は、前記従来の問題に鑑みてなされたものであって、その第１の目的はＥＬ素子を発光部とした発光装置において、複数の発光領域を選択的に発光可能で、かつ全面発光状態又は見かけ上全面発光状態において暗線を目立たないようにすることができる発光装置を提供することにある。また、第２の目的はその発光装置をバックライトとした液晶表示装置を提供することにある。
【課題を解決するための手段】
【０００８】
前記の目的を達成するために、請求項１に記載の発明は、第１電極と第２電極との間に発光層が設けられたエレクトロルミネッセンス素子を発光部とした発光装置であって、前記第１電極は外部から電圧が印加される端子を有し、複数の第１の領域と、前記第１の領域に挟まれた第２の領域とを備え、前記複数の第１の領域は発光状態と非発光状態とに切り替え可能であり、前記第１の領域の発光・非発光状態に拘わらず前記第２の領域が視認され難いように構成されている。
【０００９】
この発明では、第１の領域は発光状態と非発光状態とに切り替えられるが、第２の領域は、第１の領域が発光状態であっても非発光状態であっても、視認され難い。従って、例えば、複数の第１の領域を選択的に駆動したり、同時に駆動したりしても、全面発光状態又は見かけ上全面発光状態において暗線を目立たないようにすることができる。
【００１０】
請求項２に記載の発明は、請求項１に記載の発明において、前記第１電極、前記第２電極及び前記発光層は前記第１の領域及び前記第２の領域で共通の材料により形成され、前記第１電極は前記第２電極よりも体積抵抗率が高く、かつ透明な材料で形成され、前記第２の領域は前記第１電極の形成状態が前記第１の領域における第１電極の形成状態と異なる。この発明では、第１の領域及び第２の領域は、第１電極の形成状態が異なるだけで容易に暗線を目立たないようにすることができる。
【００１１】
請求項３に記載の発明は、請求項１又は請求項２に記載の発明において、前記第２の領域には、非発光領域及び発光領域がそれぞれ複数存在する。この発明では、従来は非発光領域のみで構成されていた第２の領域に発光領域が存在するため、第２の領域が従来に比較して視認され難い状態になる。
【００１２】
請求項４に記載の発明は、請求項３に記載の発明において、前記非発光領域は、ドット状に形成されるとともに、その存在密度が前記第１の発光領域の前記端子に近いほど高くなるように形成されている。この発明では、非発光領域の存在密度が均一な場合に比較して、第２の領域が視認され難い状態になる。
【００１３】
請求項５に記載の発明は、請求項１又は請求項２に記載の発明において、前記第１電極は前記第２電極よりも体積抵抗率が高く、かつ透明な材料で形成され、前記第２の領域は前記第１電極の厚さが前記第１の領域における前記第１電極より薄く形成されている。この発明では、第２の領域にも全体に第１電極が存在するが、厚さが第１の領域の第１電極より薄いため、流れる電流量が小さく第１の領域より弱く発光する。従って、第２の領域が従来に比較して視認され難い状態になる。
【００１４】
請求項６に記載の発明は、請求項５に記載の発明において、前記第２の領域を構成する前記第１電極の厚さは、前記第１の領域の前記端子に近いほど薄くなるように形成されている。この発明では、第２の領域を構成する第１電極の厚さが均一な場合に比較して、第２の領域が視認され難い状態になる。
【００１５】
請求項７に記載の発明は、請求項１に記載の発明において、前記発光装置は光出射側に拡散部材を備えており、前記第２の領域は非発光領域により蛇行状態に形成されている。ここで、「蛇行状態」とは、Ｓ字状の部分が繰り返す形状、直線部が連続して折れ曲がるジグザグ状あるいは直線部と曲線部とがジグザグ状に連続する形状等のように屈曲方向が異なる状態の屈曲部が複数存在する状態を意味する。
【００１６】
従来は、発光領域である第１の領域に挟まれた第２の領域は、非発光領域により直線状に形成されているため、拡散部材を使用しても、第２の領域を挟んだ状態の第１の領域から出射されて、第２の領域内を第２の領域の延びる方向に沿って進む光はないため、第２の領域を視認され難い状態にするのが難しい。しかし、この発明では、第２の領域が蛇行状態に形成されているため、第２の領域を挟んだ状態の第１の領域から出射される光は第２の領域に様々な方向から入射するため、拡散部材を使用することにより第２の領域が視認され難い状態になる。
【００１７】
請求項８に記載の発明は、液晶パネルと、前記液晶パネルの背面に設けられたバックライトと、前記液晶パネルと前記バックライトとを制御する制御装置とを有する液晶表示装置であって、前記バックライトは、請求項１〜７のいずれか１項に記載の発光装置であり、前記複数の第１の領域は、それぞれ液晶パネルの垂直走査方向と直交する方向に延びるように構成され、前記制御装置は、前記バックライトの前記複数の第１の領域を、前記液晶パネルの垂直走査に同期して順に発光状態と非発光状態とに切り替え制御しており、少なくとも各第１の領域の直上にある液晶の表示データ書き替え期間は、当該第１の領域が非発光状態となるように前記バックライトを制御している。
【００１８】
この発明では、第１の領域は、液晶パネルの垂直走査方向と直交する方向に延びるように構成され、各第１の領域は、少なくとも直上にある液晶の表示データ書き替え期間は非発光状態となるように制御される。従って、第２の領域が視認され難い状態になるだけでなく、動画表示を行う液晶表示装置において、残像が見えるのを抑制でき、動画像の画質が向上する。
【００１９】
請求項９に記載の発明は、第１電極と第２電極との間に発光層が設けられたエレクトロルミネッセンス素子を発光部とした発光装置である。そして、前記第１電極及び第２電極はそれぞれベタ電極で構成され、前記第１電極は前記第２電極よりも体積抵抗率が高く、かつ透明な材料で形成され、前記第１電極は３個以上の端子を備えており、電圧を印加する端子が異なると発光状態となる発光領域が異なり、各端子は、当該端子に対応する発光領域の一部と、当該端子に隣接する端子に対応する発光領域の一部が重なるように設けられている。
【００２０】
この発明では、第１電極の各端子に電圧が印加されるとその端子に対応する発光領域が発光状態となる。そして、隣接する端子の発光領域の一部が重なるため、複数の発光領域を備えるとともに分割駆動可能な従来技術と異なり、全面発光状態又は見かけ上全面発光状態において暗線を目立たないようにすることができる。
【００２１】
請求項１０に記載の発明は、請求項９に記載の発明において、前記発光部は長方形状に形成されており、前記発光部の両側に前記端子が対向する状態で複数ずつ設けられている。この発明では、端子への電圧印加状態に対応して発光領域がカバーする範囲の自由度が増す。
【００２２】
請求項１１に記載の発明は、液晶パネルと、前記液晶パネルの背面に設けられたバックライトと、前記液晶パネルと前記バックライトとを制御する制御装置とを有する液晶表示装置であって、前記バックライトは、請求項９又は１０に記載の発光装置であり、前記端子は、前記液晶パネルの垂直走査方向に沿って所定間隔で配置され、各発光領域の直上にある液晶の表示データ書き替え期間は、当該発光領域は非発光状態となるように各端子への電圧の印加が制御される。この発明では、全面発光状態又は見かけ上全面発光状態において暗線を目立たないようにすることができるとともに、動画表示を行う液晶表示装置において、残像が見えるのを抑制でき、動画像の画質が向上する。
【発明の効果】
【００２３】
本発明によれば、ＥＬ素子を発光部とした発光装置において、複数の発光領域を選択的に発光可能で、かつ全面発光状態又は見かけ上全面発光状態において暗線を目立たないようにすることができる。また、その発光装置をバックライトとした液晶表示装置を提供することができる。
【発明を実施するための最良の形態】
【００２４】
（第１の実施形態）
以下、本発明を擬似インパルス駆動型液晶表示装置のバックライトに具体化した第１の実施形態を図１〜図４に従って説明する。図１（ａ）は発光装置の模式平面図、（ｂ）は（ａ）のＡ−Ａ線における模式断面図、（ｃ）は（ａ）のＢ−Ｂ線における模式断面図である。図２（ａ）は第１の領域及び第２の領域の第１電極を示す模式平面図、（ｂ）は（ａ）のＣ−Ｃ線における模式断面図である。図３は液晶パネルと発光装置の模式部分断面図、図４は駆動回路の概略構成図である。なお、図１〜図３は、発光装置、第１電極、液晶パネル等の構成を模式的に示したものであり、図示の都合上、一部の寸法を誇張して分かり易くしているために、それぞれの部分の幅、長さ、厚さ等の寸法の比は実際の比と異なっている。
【００２５】
図１（ａ）〜（ｃ）に示すように、発光装置１１は、基板１２上に順に、第１電極としての透明電極１３、発光層としての有機ＥＬ層１４及び第２電極としての対向電極１５が設けられたエレクトロルミネッセンス素子（ＥＬ素子）としての有機ＥＬ素子１６が面状の発光部１７として設けられている。有機ＥＬ素子１６は、有機ＥＬ層１４が水分（水蒸気）及び酸素の悪影響を受けないように、保護膜１８で被覆されている。
【００２６】
この実施形態では、基板１２として透明なガラス基板が使用されている。また、透明電極１３が陽極を構成し、対向電極１５が陰極を構成する。透明電極１３は、対向電極１５よりも体積抵抗率が高く、かつ透明な材料で形成されている。ここで、「透明」とは、少なくとも可視光を透過可能なことを意味する。透明電極１３は、公知の有機ＥＬ素子で透明電極として用いられるＩＴＯ（インジウム錫酸化物）により形成されている。対向電極１５は、金属（例えば、アルミニウム）で形成され、光を反射する機能を有する。有機ＥＬ素子１６は、有機ＥＬ層１４からの光が基板１２側から取り出される（出射される）所謂ボトムエミッションタイプに構成されている。保護膜１８は、例えば窒化ケイ素で形成されている。
【００２７】
図１（ａ）に示すように、有機ＥＬ素子１６は、液晶表示装置のバックライトとして使用される際に、液晶の垂直走査方向と直交する方向（図１（ａ）の左右方向）に延びる複数の第１の領域１９と、第１の領域１９に挟まれた第２の領域２０とを備えている。この実施形態では各第１の領域１９は同じ幅に形成されている。
【００２８】
第１の領域１９を構成する透明電極１３は、第１の領域１９と同じ幅に形成され、各第１の領域１９の一端（図１（ａ）〜（ｃ）の左端）と対応する位置に端子１３ａが形成されている。即ち、第１の領域１９の透明電極１３は、液晶の垂直走査方向と直交する方向に延びるように形成され、一端側に端子１３ａが形成されている。第１の領域１９の幅は後記する液晶表示装置の１画素分の幅ではなく、複数画素分の幅に形成されている。即ち、第１の領域１９は、同時に走査される１列分の液晶の画素領域毎に設けられるのではなく、複数列分の画素領域を照明するのに必要な幅に形成されている。
【００２９】
第２の領域２０は、図１（ｃ）に示すように、非発光領域２０ａ及び発光領域２０ｂがそれぞれ複数存在する状態に形成されている。非発光領域２０ａは、ドット状に形成されるとともに、その存在密度が第１の領域１９の透明電極１３の端子１３ａに近いほど高くなるように形成されている。
【００３０】
透明電極１３、有機ＥＬ層１４及び対向電極１５は第１の領域１９及び第２の領域２０で共通の材料により形成されている。図２（ａ），（ｂ）に示すように、透明電極１３には第２の領域２０に対応する箇所に、孔１３ｂが所定の間隔で複数ずつ形成されている。第２の領域２０の透明電極１３は、部分的に除去されることにより孔１３ｂが形成されている。即ち、第２の領域２０は、透明電極１３の形成状態が第１の領域１９における透明電極１３の形成状態と異なるように形成されている。
【００３１】
有機ＥＬ層１４は、透明電極１３の端子１３ａの一部を除いた部分及び孔１３ｂを覆うように形成されている。有機ＥＬ層１４は、公知の有機ＥＬ材料を用いて形成され、例えば、透明電極１３側から順に正孔輸送層、発光層及び電子輸送層が積層されて形成されている。有機ＥＬ層１４は、白色発光を行うように構成され、発光装置１１を液晶表示装置のバックライトとして使用する場合、カラーフィルタを使用したフルカラー表示に対応できるようになっている。白色発光を行う構成としては、公知の構成、例えば、赤、緑、青に発光する層を平面的に微細に塗り分けて全体として白色発光とする構成、赤、緑、青に発光する層を積層して全体として白色発光とする構成、赤、緑、青の色素をホスト分子あるいは高分子中に分散させる構成等がある。
【００３２】
対向電極１５はベタ電極で構成され、図１（ａ）〜（ｃ）に示すように、幅が有機ＥＬ層１４より狭く形成され、長さが透明電極１３の端子１３ａ側と反対側において有機ＥＬ層１４より長くなるように形成されている。（ここで、幅とは図１における上下方向の距離を示し、長さとは図１における左右方向の距離を示す。）対向電極１５の端子部１５ａは、透明電極１３の端子１３ａと反対側に設けられている。端子部１５ａは、透明電極１３と同一材料で形成され、対向電極１５の電極延出部１５ｂと電気的に接続されている。発光装置１１は、端子１３ａが後記するドライバに接続された状態で使用される。
【００３３】
次に前記のように構成された発光装置１１の製造方法を説明する。発光装置１１を製造する際は、ＩＴＯ膜が形成された透明な基板１２（ガラス基板）を準備する。このＩＴＯ膜に対してエッチングを行い、透明電極１３、端子１３ａ、孔１３ｂ及び端子部１５ａを形成する。
【００３４】
次に基板１２及び透明電極１３の洗浄が行われた後、透明電極１３を覆うように、有機ＥＬ層１４を形成する。有機ＥＬ層１４は、例えば、蒸着法で形成され、有機ＥＬ層１４を構成する各層が蒸着により順次積層されることで形成される。その後、Ａｌの蒸着により有機ＥＬ層１４上に対向電極１５を形成する。このとき、対向電極１５は、電極延出部１５ｂが端子部１５ａの一部を覆って端子部１５ａと電気的に接続される状態に形成される。最後に、保護膜１８を形成する。保護膜１８として窒化ケイ素等のセラミック膜を形成する場合、セラミック膜は、例えば、プラズマＣＶＤ法で形成される。
【００３５】
次に前記のように構成された発光装置１１が、擬似インパルス駆動型液晶表示装置のバックライトとして使用される場合の作用を説明する。
図３に示すように、発光装置１１は、液晶表示装置３１を構成する透過型の液晶パネル３２の背面（表示面と反対側の面）側に配置されて使用される。液晶パネル３２は、公知のアクティブマトリックス型のフルカラー表示用の液晶パネルと基本的に同じ構成である。液晶パネル３２は、一対の透明な基板３３，３４を備え、両基板３３，３４は所定の間隔を保った状態で、図示しないシール材により貼り合わされて、その間に液晶３５が封止されている。基板３３，３４は例えばガラス製である。発光装置１１側に配置された一方の基板３３には、液晶３５と対向する面に画素電極３６と、画素電極３６に接続されたＴＦＴ（薄膜トランジスタ）３７とがマトリックス状に形成されている。画素電極３６はＩＴＯ（インジウム錫酸化物）で形成されている。３個の画素電極３６が１組で１個の画素を構成している。また、基板３３には、液晶３５と反対側の面に偏光板３８が配設されている。
【００３６】
他方の基板３４には液晶３５側の面にカラーフィルタ３９が形成され、カラーフィルタ３９上には全画素共通の透明電極４０が形成されている。透明電極４０もＩＴＯで形成されている。カラーフィルタ３９は、赤色、緑色及び青色の光を透過する領域３９ａ，３９ｂ，３９ｃがサブ画素を構成する各画素電極３６と対応するように配設されている。各領域３９ａ〜３９ｃはブラックマトリックス４１で区画されている。基板３４の液晶３５と反対側の面には偏光板４２が形成されている。
【００３７】
発光装置１１は、基板１２が液晶パネル３２と対向するとともに、第１の領域１９が液晶３５の垂直走査方向（図３の左右方向）と直交する方向（図３の紙面と垂直方向）に延びるように配置される。
【００３８】
図４に示すように、液晶パネル３２及び発光装置１１で構成される表示部４３の外側には、ＴＦＴ３７のゲート電極を駆動するゲートドライバ４４と、ソース電極（データ電極）を駆動するソースドライバ４５とが設けられている。また、表示部４３の外側には、透明電極１３を駆動するドライバ４６が設けられている。透明電極１３の端子１３ａはドライバ４６に電気的に接続される。各ドライバ４４〜４６は制御装置４７からの制御信号により駆動制御される。
【００３９】
ゲートドライバ４４は、制御装置４７からの制御信号に基づいてアドレス信号（順次走査信号）をＴＦＴ３７のゲートに供給し、ソースドライバ４５は、制御装置４７からの制御信号に基づいてデータ信号をＴＦＴ３７のソースに供給する。画面全体を一度走査するのに使用する時間、即ち１フレーム時間は１／６０秒に設定されている。従って、アドレス信号の出力される間隔は、アドレス信号線の数をＡｎとすると、（１／６０）×（１／Ａｎ）秒となる。
【００４０】
制御装置４７は、複数の第１の領域１９を、液晶３５の垂直走査、即ちアドレス信号の出力に同期して順に発光状態と非発光状態とに切り替え制御する。この実施形態では、制御装置４７は、例えば、第１の領域１９の数をＮ個としたとき、各第１の領域１９が１フレーム時間の１／Ｎのタイミングで順に発光状態（点灯状態）となるように制御している。また、各第１の領域は、発光状態に切り替わってから所定時間発光状態が保持されるように制御されている。従って、液晶表示装置の駆動時には、同時に複数（例えば２個）の第１の領域１９が発光状態となっている。
【００４１】
第１の領域１９の発光状態から非発光状態への切り替え時には、非発光状態に切り替えられる当該第１の領域１９と交代して発光状態に切り替えられる他の第１の領域１９が発光状態になった後、一定時間ｔ経過後、当該第１の領域１９が非発光状態に切り替えられるように制御装置４７から指令信号がドライバ４６に出力される。この一定時間ｔは極短時間であり、人の目には変化が殆ど感じられない時間である。
【００４２】
各第１の領域１９は、制御装置４７からの指令信号により発光状態と非発光状態とに切り替え制御されるが、当該第１の領域１９の直上にある液晶３５を照明する第１の領域１９は、少なくとも当該液晶３５の表示データ書き替え期間は非発光状態となるように制御される。各第１の領域１９が画素電極３６の１走査ライン分と１：１で対応していれば、１走査ライン分のデータ書き替え期間が、当該第１の領域１９の直上にある液晶３５の表示データ書き替え期間となる。しかし、この実施形態では、各第１の領域１９が画素電極３６の複数の走査ライン分と対応しているため、当該複数の走査ライン分の表示データ書き替え期間Ｔの間、当該第１の領域１９は非発光状態に保持される。そして、その後、予め設定された期間、オン状態に保持される。
【００４３】
液晶パネル３２の表示画面に画像を表示させる際、液晶パネル３２においては、制御装置４７からの指令信号により、ゲートドライバ４４からアドレス信号が出力されて１列毎に各ＴＦＴ３７がオン状態になり、ソースドライバ４５から出力されたデータ信号により各画素電極３６にデータが書き込まれる。そして、書き込まれたデータは当該画素電極３６の図示しない蓄積キャパシタに充放電電荷として蓄積され、次のデータ書き込みが行われるまで、その電荷に対応した大きさの電圧が当該画素電極３６に印加される状態に保持される。そして、各画素電極３６への印加電圧が大きいほど、当該画素電極３６に対向する液晶３５を透過する光量が増加するようになる。画素電極３６への表示データの書き替えが行われるときには当該画素電極３６と対向する第１の領域１９は非発光状態に保持されるため、動画像の画質が向上する。
【００４４】
発光装置１１は、制御装置４７からの指令信号に基づいて、アドレス信号と同期するようにドライバ４６から各端子１３ａにオン信号が出力される。オン信号が出力されている間、当該端子１３ａに対応する第１の領域１９に電流が流れて有機ＥＬ層１４が白色発光する。各有機ＥＬ層１４からの光は、基板１２から出射され、液晶パネル３２の基板３３側に入射する。
【００４５】
各第１の領域１９は、液晶３５の垂直走査に同期して順に発光する。但し、この実施形態では液晶３５の複数の走査ライン分の画素電極３６列と各第１の領域１９とが対向しているため、当該第１の領域１９を構成する透明電極１３の端子１３ａへのオン信号は、当該第１の領域１９と対向する複数の画素電極３６列のＴＦＴ３７への表示データ書き替え（書き込み）が完了後に出力される。
【００４６】
そして、画素電極３６への電圧の印加状態に対応した量の光が液晶３５を透過して、透明電極４０を経てカラーフィルタ３９の各領域３９ａ〜３９ｃを透過する。液晶表示装置３１の使用者はカラーフィルタ３９を透過した光により形成される画像を液晶表示装置３１の表示として視認する。
【００４７】
カラー画像を表示する際、画像の色は各画素における赤色、緑色、青色の三原色を混合することで所望の色に調整される。この実施形態では、発光装置１１からはほぼ一定の光量で白色光が出射され、画素電極３６に印加される印可電圧の大きさによって各画素におけるカラーフィルタ３９を透過する光量、即ち各画素における三原色の混合割合が調整される。
【００４８】
複数の第１の領域１９が選択的に順次駆動されて１フレーム時間内に発光状態と非発光状態とに切り替えられて見かけ上、全ての第１の領域１９が同時に発光される全面発光状態になる。従来技術では、隣接する第１の領域１９に挟まれた第２の領域２０は常に非発光状態のため、暗線として視認される。しかし、この実施形態では、第２の領域２０は非発光領域２０ａ及び発光領域２０ｂがそれぞれ複数存在する状態に形成されており、発光領域２０ｂを構成する透明電極１３には、隣接する第１の領域１９が発光状態のとき、当該第１の領域１９を構成する透明電極１３から電流が流れて発光状態となる。従って、第２の領域２０は、隣接する第１の領域１９が発光状態であっても非発光状態であっても、視認され難くなる。非発光領域２０ａ及び発光領域２０ｂは、第１の領域１９の発光状態において第２の領域２０の視認性を弱める視認性弱め手段を構成する。
【００４９】
なお、互いに隣接する第１の領域の間の、第２の領域の透明電極には複数の孔１３ｂが形成されている。このため、第１の領域に比べて、第２の領域の透明電極は全体として体積抵抗率が高くなる。したがって、一つの第１の領域から隣接する第１の領域には電流が流れにくくなっており、これによって第１の領域が区画されている。
【００５０】
有機ＥＬ素子１６の輝度は、有機ＥＬ層１４における電流密度に影響され、電流密度が高いほど素子の輝度は高くなる。透明電極１３は体積抵抗率が対向電極１５に比較して高く、端子１３ａから近い部分と遠い部分とでは、電気抵抗値の差が大きくなり、有機ＥＬ層１４における電流密度の差も大きくなる。従って、発光領域２０ｂの密度が端子１３ａに近いほど低く、即ち非発光領域２０ａの密度が高くなるように設ける方が、第２の領域２０全体としての輝度ムラが小さくなって第２の領域２０が視認され難くなる。
【００５１】
この実施形態では以下の効果を有する。
（１）発光装置１１は、透明電極１３と対向電極１５との間に有機ＥＬ層１４が設けられた有機ＥＬ素子１６を発光部１７としており、複数の第１の領域１９と、第１の領域１９に挟まれた第２の領域２０とを備え、第１の領域１９の発光・非発光状態に拘わらず第２の領域２０が視認され難いように構成されている。従って、複数の第１の領域１９を選択的に駆動したり、同時に駆動したりしても、全面発光状態又は見かけ上全面発光状態において暗線を目立たないようにすることができる。
【００５２】
（２）透明電極１３、対向電極１５及び有機ＥＬ層１４は、第１の領域１９及び第２の領域２０で共通の材料により形成され、透明電極１３は対向電極１５よりも体積抵抗率が高く、かつ透明な材料で形成され、第２の領域２０は透明電極１３の形成状態が第１の領域１９における透明電極１３の形成状態と異なる。従って、第１の領域１９及び第２の領域２０は、透明電極１３の形成状態が異なるだけで容易に暗線を目立たないようにすることができる。
【００５３】
（３）第２の領域２０は、非発光領域２０ａ及び発光領域２０ｂがそれぞれ複数存在する。従って、従来は非発光領域のみで構成されていた第２の領域２０に発光領域２０ｂが存在するため、第２の領域２０が従来に比較して視認され難い状態になる。
【００５４】
（４）非発光領域２０ａは、ドット状に形成されるとともに、その存在密度が第１の領域１９の透明電極１３の端子１３ａに近いほど高くなるように形成されている。従って、非発光領域２０ａの存在密度が均一な場合に比較して、第２の領域２０を構成する各発光領域２０ｂの輝度ムラが小さくなり、第２の領域２０がより視認され難い状態になる。
【００５５】
（５）非発光領域２０ａは、第２の領域２０における透明電極１３の一部を除去して孔１３ｂを設けることにより構成されている。従って、透明電極１３の形成工程において孔１３ｂを同時に設けることができ、製造時の工数を増加させずに製造することができる。
【００５６】
（６）有機ＥＬ素子１６を構成する対向電極１５が光を反射する機能を有する。従って、対向電極１５が光を反射する機能を有しない場合に比較して、有機ＥＬ層１４から対向電極１５側に向かう光が対向電極１５で効率よく反射され、透明電極１３側から出射する光量を多くすることができる。
【００５７】
（７）液晶表示装置３１は、バックライトとして発光装置１１を備えている。バックライトの複数の第１の領域１９は、液晶パネル３２の垂直走査方向と直交する方向に延びるように構成され、発光状態と非発光状態とに制御装置４７からの指令信号により切り替え制御される。そして、少なくとも各第１の領域の直上にある液晶３５の表示データ書き替え期間は、当該第１の領域が非発光状態となるように制御される。従って、第２の領域２０が視認され難い状態になるだけでなく、動画表示を行う液晶表示装置３１において、残像が見えるのを抑制でき、動画像の画質が向上する。
【００５８】
（８）液晶表示装置３１の駆動時において、バックライトは同時に複数の第１の領域１９が発光状態になるように保持されるため、１フレーム時間における各第１の領域１９が発光状態になる期間が長くなり、液晶表示装置３１の駆動時において常に１個の第１の領域１９のみが発光する構成に比較して表示画面全体の輝度を高めることができる。
【００５９】
（９）ＥＬ素子として有機ＥＬ素子１６が使用されている。従って、発光部１７に無機ＥＬ素子を使用した場合に比較して、低電圧で発光させることができる。
（第２の実施形態）
次に第２の実施形態を図５（ａ），（ｂ）に従って説明する。この実施形態は、第２の領域２０の構成が前記第１の実施形態と異なっている。第１の実施形態と同様の部分については同一符号を付してその詳細な説明を省略する。図５（ａ）は透明電極１３の模式平面図、（ｂ）は（ａ）のＤ−Ｄ線における模式断面図である。
【００６０】
図５（ａ）に示すように、第１の領域１９を構成する各透明電極１３は、同じ幅で平行に形成され、一端に端子１３ａが形成されている。図５（ｂ）に示すように、第２の領域２０を構成する透明電極１３Ｓは、厚さが第１の領域１９における透明電極１３より薄く形成されている。この実施形態では、第２の領域２０にも全体に透明電極１３Ｓが存在する。即ち、第２の領域２０は、非発光領域がなく、全て発光領域で構成されている。
【００６１】
この構成の第２の領域２０を形成する場合は、透明な基板１２（ガラス基板）に形成されたＩＴＯ膜に対してエッチングを行い、透明電極１３、端子１３ａ及び端子部１５ａを形成する工程において、同時に、第２の領域２０の透明電極１３Ｓとなるべき箇所にもエッチングを行い、所定の厚さの透明電極１３Ｓを形成する。その後の有機ＥＬ層１４、対向電極１５、保護膜１８等の形成工程は第１の実施形態と同じである。
【００６２】
この実施形態の構成では、第２の領域２０に隣接する第１の領域１９が発光状態となる場合においては、当該第１の領域１９の透明電極１３を介して第２の領域２０の透明電極１３Ｓに電流が流れる状態となり、第２の領域２０も発光状態となる。しかし、透明電極１３Ｓの厚さが第１の領域１９の透明電極１３より薄いため、流れる電流量が小さく、第１の領域１９より弱く発光する。第１の領域１９の透明電極１３より薄い透明電極１３Ｓが、第１の領域１９の発光状態において第２の領域２０の視認性を弱める視認性弱め手段を構成する。
【００６３】
従って、この第２の実施形態では、前記第１の実施形態の効果（１）、（２）、（６）〜（９）と同様の効果を有する他に次の効果を有する。
（１０）第２の領域２０にも全体に透明電極１３Ｓが存在するが、厚さが第１の領域１９の透明電極１３より薄いため、流れる電流量が小さく第１の領域１９より弱く発光する。従って、第２の領域２０が従来に比較して視認され難い状態になる。
【００６４】
（１１）発光装置１１の製造工程において、基板１２上のＩＴＯ膜に対するエッチング工程の一部を変更するだけで簡単に対応することができる。
（第３の実施形態）
次に第３の実施形態を図６（ａ），（ｂ）に従って説明する。この実施形態は、第２の領域２０の構成と、発光装置の光出射側に拡散部材が設けられている点が前記第１の実施形態と異なっている。第１の実施形態と同様の部分については同一符号を付してその詳細な説明を省略する。図６（ａ）は透明電極１３の模式部分平面図、（ｂ）は発光装置の模式断面図である。
【００６５】
図６（ａ）に示すように、第１の領域１９を構成する各透明電極１３は、隣接する第１の領域１９の透明電極１３との間に一定幅で蛇行状態に形成された溝２１が存在するように形成され、一端に端子１３ａが形成されている。この実施形態では溝２１は、直線部２１ａが９０度に連続して折れ曲がる形状に形成されている。溝２１の幅は、例えば、３０μｍ程度である。そして、発光装置１１において、各溝２１と対応する部分が、第１の領域１９に挟まれた第２の領域２０となる。即ち、第２の領域２０は、発光領域がなく、全て非発光領域で構成されている。
【００６６】
この構成の第２の領域２０を形成する場合は、透明な基板１２（ガラス基板）に形成されたＩＴＯ膜に対してエッチングを行い、透明電極１３、端子１３ａ及び端子部１５ａを形成する工程において、同時に、第２の領域２０となるべき箇所、即ち溝２１となるべき箇所にもエッチングを行う。その後の有機ＥＬ層１４、対向電極１５、保護膜１８等の形成工程は第１の実施形態と同じである。
【００６７】
図６（ｂ）に示すように、発光装置１１は、基板１２の透明電極１３と対向する面と反対側の面、即ち光出射側に拡散部材として拡散シート２２を備えている。拡散シート２２は、例えば、液晶表示装置等で使用される公知の構成のものが使用される。
【００６８】
この実施形態の構成では、基板１２から出射される光は、拡散シート２２で拡散されて液晶パネル３２へ照射される。第２の領域２０は発光領域を備えていない。従って、第２の領域２０が従来技術のように一直線状の場合は、第２の領域２０を挟んだ状態の第１の領域１９から出射されて、第２の領域２０内を第２の領域２０に沿って（第２の領域２０の延びる方向に）進む光はないため、拡散シート２２を使用しても、液晶表示装置３１の使用者に第２の領域２０が暗線として視認され易くなる。
【００６９】
しかし、この実施形態の構成では、第２の領域２０は、一直線状ではなく蛇行状態に形成されている。従って、第２の領域２０を挟んだ状態の第１の領域１９から出射される光は、第２の領域２０に様々な方向から入射し、第２の領域２０の延びる方向に進む光も多く存在するため、拡散シート２２を使用することにより第２の領域２０が視認され難い状態になる。
【００７０】
従って、この第３の実施形態では、前記第１の実施形態の効果（１）、（６）〜（９）と同様の効果を有する他に次の効果を有する。
（１２）発光装置１１は光出射側に拡散シート２２を備えており、第２の領域２０は非発光領域により蛇行状態に形成されている。従って、第２の領域２０は、発光領域を備えていないが、第２の領域２０を挟んだ状態の第１の領域１９から出射される光は第２の領域２０に様々な方向から入射するため、拡散シート２２を使用することにより第２の領域２０が視認され難い状態になる。
【００７１】
（１３）発光装置１１の製造工程において、基板１２上のＩＴＯ膜に対するエッチング工程の一部を変更するとともに、基板１２に拡散シート２２を設けることにより簡単に対応することができる。
【００７２】
（第４の実施形態）
次に第４の実施形態を図７〜図９に従って説明する。図７は発光装置の模式平面図、図８は図７のＥ−Ｅ線における模式断面図であり、図９（ａ）は透明電極の模式平面図、（ｂ）は作用を説明する模式図である。なお、第１の実施形態と同様の部分については同一符号を付してその詳細な説明を省略する。
【００７３】
図７及び図８に示すように、発光装置１１は、基板１２上に順に、第１電極としての透明電極１３、発光層としての有機ＥＬ層１４及び第２電極としての対向電極１５が設けられたＥＬ素子としての有機ＥＬ素子１６が面状の発光部１７として設けられている。有機ＥＬ素子１６は、有機ＥＬ層１４が水分（水蒸気）及び酸素の悪影響を受けないように、保護膜１８で被覆されている。
【００７４】
この実施形態では、基板１２として透明なガラス基板が使用されている。透明電極１３及び対向電極１５はそれぞれベタ電極で構成され、透明電極１３は対向電極１５よりも体積抵抗率が高く、かつ透明な材料で形成されている。また、透明電極１３が陽極を構成し、対向電極１５が陰極を構成する。透明電極１３はＩＴＯにより形成され、対向電極１５はアルミニウムにより形成されている。有機ＥＬ素子１６は、有機ＥＬ層１４からの光が基板１２側から取り出される（出射される）所謂ボトムエミッションタイプに構成されている。
【００７５】
透明電極１３、有機ＥＬ層１４及び対向電極１５は長方形状に形成されている。図７及び図９（ａ）に示すように、透明電極１３には、発光装置１１が液晶表示装置のバックライトとして使用される際に、液晶の垂直走査方向と直交する方向（図７の左右方向）の両端部に、端子１３ａが対向する状態で複数ずつ設けられている。即ち、発光部１７の両側に透明電極１３の端子１３ａが対向する状態で複数ずつ設けられている。この発光装置１１は、電圧を印加する端子が異なると発光状態となる発光領域が異なっており、各端子は、当該端子に対応する発光領域の一部と、当該端子に隣接する端子に対応する発光領域の一部が重なるように設けられている。
【００７６】
図７に示すように、対向電極１５は、端子部１５ａが透明電極１３の端子１３ａと対応する辺と異なる辺に沿って延びるように設けられている。各端子１３ａはドライバ４６に電気的に接続され、制御装置４７からの指令信号によりドライバ４６を介して選択的に電圧が印加可能に構成されている。ドライバ４６が端子１３ａに選択的に電圧を印加可能な電圧印加手段を構成する。
【００７７】
この実施形態における発光装置１１も第１の実施形態の発光装置１１とほぼ同様にして製造される。第１の実施形態の場合と異なる点は、透明電極１３がベタ電極である点と、端子１３ａが透明電極１３の両側に対称に配置される点である。
【００７８】
この実施形態の発光装置１１も、擬似インパルス駆動型液晶表示装置３１のバックライトとして使用される。制御装置４７からの指令信号に基づいて、アドレス信号と同期するようにドライバ４６から各端子１３ａにオン信号が出力される。その際、各発光領域の直上にある液晶の表示データ書き替え期間は、当該発光領域が非発光状態となるように各端子への電圧の印加が、ドライバ４６により制御される。オン信号が出力されている間、透明電極１３の当該端子１３ａに対応する範囲に電流が流れて有機ＥＬ層１４が白色発光する。各有機ＥＬ層１４からの光は、基板１２から出射され、液晶パネル３２の基板３３側に入射する。
【００７９】
透明電極１３はベタ電極で、かつ体積抵抗率が大きいため、図９（ｂ）に鎖線で示すように、電圧が印加されている状態（ＯＮの状態）の端子１３ａを中心とした所定の範囲が有機ＥＬ素子１６の発光領域２４となる。そして、発光領域２４は、隣接する電圧が印加されていない（ＯＦＦの状態）の端子１３ａと対応する仮想の帯状領域２３の一部にまで及ぶ。その結果、電圧が印加されている状態の端子１３ａと対応する仮想の帯状領域２３に隣接する端子１３ａと対応しない領域も発光状態となる。
【００８０】
従って、この第４の実施形態では、前記第１の実施形態の効果（６）、（９）と同様の効果を有する他に次の効果を有する。
（１４）透明電極１３及び対向電極１５はそれぞれベタ電極で構成され、透明電極１３は対向電極１５よりも体積抵抗率が高く、端子１３ａが３個以上設けられている。この発光装置１１は電圧を印加する端子が異なると発光状態となる発光領域が異なり、各端子は、当該端子に対応する発光領域の一部と、当該端子に隣接する端子に対応する発光領域の一部が重なるように設けられている。従って、複数の発光領域を備えるとともに分割駆動可能な従来技術と異なり、全面発光状態又は見かけ上全面発光状態において暗線を目立たないようにすることができる。
【００８１】
（１５）発光部１７は長方形状に形成されており、発光部１７の両側に端子１３ａが対向する状態で複数ずつ設けられている。従って、端子１３ａへの電圧印加状態に対応して発光領域がカバーする範囲の自由度が増す。例えば、液晶表示装置３１が液晶パネル３２の片側半分だけで画像を表示したり、半分ずつ異なる条件で同時に駆動させたりすることも可能になる。
【００８２】
（１６）発光装置１１は、擬似インパルス駆動型液晶表示装置のバックライトに使用される。そして、端子１３ａは、液晶パネル３２の垂直走査方向に沿って所定間隔で配置されており、各発光領域の直上にある液晶の表示データ書き替え期間は、当該発光領域が非発光状態となるように各端子１３ａへの電圧の印加がドライバ４６により制御される。従って、全面発光状態又は見かけ上全面発光状態において暗線を目立たないようにすることができるとともに、動画表示を行う液晶表示装置３１において、残像が見えるのを抑制でき、動画像の画質が向上する。
【００８３】
実施形態は前記に限定されるものではなく、例えば、次のように構成してもよい。
○  第１の実施形態のように、第２の領域２０を非発光領域２０ａ及び発光領域２０ｂが混在する構成とする場合、非発光領域２０ａを第２の領域２０に対応する透明電極１３の一部に孔１３ｂを設けることで構成する代わりに、図１０に示すように、第２の領域２０に対応する対向電極１５の一部に孔１５ｃを設けてもよい。孔１５ｃは、端子１３ａに近いほど密度が高くなるように設けるのが好ましい。この場合も第１の実施形態とほぼ同様な効果を得られる。しかし、孔１５ｃが形成された部分からは有機ＥＬ層１４から対向電極１５に向かって出射された光が反射されないため、透明電極１３に孔１３ｂを設けた場合の方が、透明電極１３側から出射する光量を多くすることができる。
【００８４】
○  第２の領域２０を非発光領域２０ａ及び発光領域２０ｂが混在する構成とする場合、透明電極１３及び対向電極１５の両方に孔１３ｂ，１５ｃを設けてもよい。
○  第２の領域２０に非発光領域２０ａを設ける構成として、孔１３ｂ，１５ｃを設ける構成に代えて、絶縁部（絶縁膜）を透明電極１３と有機ＥＬ層１４との間に設けたり、有機ＥＬ層１４と対向電極１５との間に設けたり、透明電極１３と有機ＥＬ層１４との間及び有機ＥＬ層１４と対向電極１５との間の両方に設けたりしてもよい。しかし、絶縁部を有機ＥＬ層１４と対向電極１５との間に設ける場合は、有機ＥＬ層１４を形成した後に絶縁部を形成する必要があり、水分や高熱に弱い有機ＥＬ層１４を損傷しないようにするための製造条件が厳しくなる。従って、絶縁部は、透明電極１３と有機ＥＬ層１４との間に設けられる構成が好ましい。
【００８５】
○  第２の領域２０の非発光領域２０ａを構成する孔１３ｂ，１５ｃあるいは絶縁部の形状は楕円形に限らず、円形としたり、三角形、四角形等の多角形としたりしてもよい。また、異なる形状のものが混在したり、異なる大きさのものが混在したりしてもよい。
【００８６】
○  第２の実施形態のように、第２の領域２０を構成する透明電極１３Ｓの厚さを第１の領域１９を構成する透明電極１３より薄く形成する構成において、第２の領域２０を構成する透明電極１３Ｓは、厚さが一定に限らない。例えば、図１１に示すように、第１の領域１９の透明電極１３の端子１３ａに近いほど薄くなるように形成したり、透明電極１３の端子１３ａに近い側から次第に厚くなるように形成するとともに途中から一定の厚さとなるように形成したりしてもよい。この場合、第２の領域２０を構成する透明電極１３Ｓの厚さが均一な場合に比較して、第２の領域２０が視認され難い状態になる。
【００８７】
○  第２の実施形態のように、第２の領域２０を構成する透明電極１３Ｓに流れる電流量を第１の領域１９を構成する透明電極１３に流れる電流量より小さくする構成において、第２の領域２０の透明電極１３Ｓの材料に第１の領域１９の透明電極１３の材料と異なる材料を使用してもよい。
【００８８】
○  第１及び第２の実施形態のように第２の領域２０により第１の領域１９が区画される構成において、第２の領域２０は直線状に限らず、例えば、波線状としてもよい。
○  第３の実施形態において、第２の領域２０を構成する溝２１は、直線部２１ａが９０度に連続して折れ曲がる形状に限らず、屈曲方向が異なる状態の屈曲部が複数存在すればよい。例えば、図１２（ａ）に示すように、Ｓ字状の部分が繰り返す形状や図１２（ｂ）に示すように、直線部２１ａが連続して折れ曲がるジグザグ状であってもよい。また、直線部と曲線部とがジグザグ状に連続する形状であってもよい。この場合も、第３の実施形態と同様の効果が得られる。
【００８９】
○  第３の実施形態において、拡散部材は拡散シート２２に限らず、板状の拡散部材を設けたり、基板１２の表面に一体化して設ける代わりに、基板１２と別体に設けたりしてもよい。
【００９０】
○  第１〜第３の実施形態のように第２の領域２０により第１の領域１９が区画される構成において、隣り合う第２の領域２０の間隔、即ち第１の領域１９の幅は一定に限らず、各第１の領域１９の幅が全て異なる構成やいくつかの第１の領域１９の幅が異なる構成としてもよい。
【００９１】
○  第１〜第３の実施形態のように第２の領域２０により第１の領域１９が区画される構成において、透明電極１３の端子１３ａが透明電極１３の両側に対をなすように対向する状態で配置された構成としてもよい。また、対向電極１５の端子部１５ａも対向電極１５の両側に配置された構成としてもよい。
【００９２】
○  対向電極１５の端子部１５ａを透明電極１３と同じ材料で形成せずに対向電極１５の延出部で構成してもよい。
○  第１〜第３の実施形態において、対向電極１５の端子部１５ａを第４の実施形態のように透明電極１３の端子１３ａと対応しない辺に配置してもよい。
【００９３】
○  第１〜第４の実施形態において、対向電極１５の端子部１５ａを透明電極１３の端子１３ａと対応する辺に配置してもよい。端子部１５ａを端子１３ａと同じ辺に配置する場合は、図１３に示すように、透明電極１３の端子１３ａを長く形成するとともに、端子１３ａ上の有機ＥＬ層１４に近い部分に絶縁膜２５が設けられる。対向電極１５は、絶縁膜２５上に電極延出部１５ｂが設けられている。また、電極延出部１５ｂと電気的に接続するように対向電極１５の端子部１５ａが絶縁膜２５上に形成されている。端子部１５ａは、透明電極１３と同一材料で形成されている。
【００９４】
○  第１〜第３の実施形態のように第２の領域２０により第１の領域１９が区画される構成において、第１の領域１９は、液晶３５の垂直走査方向と直交する方向に延びる構成に限らない。例えば、発光部１７を二つの第１の領域１９及びそれに挟まれる第２の領域２０に区画してもよい。二つの第１の領域１９は同じ形状であっても、図１４に示すように、矩形状領域２６及びそれに隣接する領域２７の二つの領域で構成されてもよい。そして、第２の領域２０は適宜第１〜第３の実施形態の構成あるいは前記各実施形態の構成の一つを採用した構成とする。
【００９５】
○  第４の実施形態のように透明電極１３及び対向電極１５をベタ電極で構成するとともに、隣接する各端子１３ａによる発光領域の一部が重なる構成を有する発光装置１１において、図１５に示すように、端子１３ａを透明電極１３の片側にのみ設ける構成としてもよい。この構成の場合は透明電極１３の幅（図１５の左右方向における長さ）が、端子１３ａを両側に設ける構成の１／２程度以下になる。  
【００９６】
○  第４の実施形態のように透明電極１３及び対向電極１５をベタ電極で構成するとともに、隣接する各端子１３ａによる発光領域の一部が重なる構成を有する発光装置１１において、端子１３ａの配置は、長方形状の透明電極１３の一辺のみ、あるいは対向する二辺に対をなすように配置する構成に限らない。端子１３ａは液晶パネル３２の表示領域に合わせて発光領域が形成されるように３個以上設けられていればよい。
【００９７】
○  液晶パネル３２の画面が大きくなって、１フレーム時間の間に垂直走査する画素電極３６の列数が多い表示装置において、画面を垂直走査方向において複数分割し、分割された各領域毎に同時に垂直走査をする構成を採用した場合、発光装置１１においても、発光領域をそれに対応して複数分割する。そして、分割された各領域毎に同時に、各第１の領域１９が液晶３５の垂直走査に同期して順に発光するように、透明電極１３のオン状態を制御するようにしてもよい。
【００９８】
○  定常状態において複数の第１の領域１９が同時に発光状態となる構成に代えて、第１の領域１９が一個ずつ順に発光状態となる構成としてもよい。
○  第１の領域１９は、発光時に複数列の画素電極３６に対して光を照射可能な幅に限らず、１列の画素電極３６に対して光を照射可能な幅として、液晶３５の垂直走査に１：１で同期して発光状態と非発光状態とに切り替えられる構成としてもよい。
【００９９】
○  基板１２はガラスに限らず、透明な樹脂基板やフィルムであってもよい。
○  透明電極１３は、ＩＴＯに限らず、ＩＺＯ（インジウム亜鉛酸化物）、ＺｎＯ（酸化亜鉛）、ＳｎＯ２（酸化錫）等を用いることができる。
【０１００】
○  対向電極１５は、アルミニウムに限らず、従来用いられている公知の陰極材料等が使用でき、例えば、金、銀、銅、クロム等の金属やこれらの合金等が用いられる。
○  対向電極１５は光反射機能を備えていなくてもよい。
【０１０１】
○  有機ＥＬ層１４は白色発光を行うような構成に限らず、例えば、赤や青や緑や黄色等の単色光若しくは、その組み合わせを発光する構成としてもよい。
○  有機ＥＬ素子１６は基板１２側から光を出射する構成に限らず、基板１２と反対側から光を出射する所謂トップエミッション型の有機ＥＬ素子を使用してもよい。この場合、有機ＥＬ素子１６は、基板１２側に対向電極１５が形成され、有機ＥＬ層１４を挟んで基板１２と反対側に透明電極１３が形成される。対向電極１５は透明電極１３よりも体積抵抗率が低い材料で形成されていればよく、透明な電極で構成されても不透明な電極で構成されてもよい。また、基板１２は透明基板に限らず、不透明な基板であってもよい。
【０１０２】
○  液晶パネル３２はカラーフィルタ３９を備えない、白黒表示パネルであってもよい。
○  発光装置１１は、発光層として、有機ＥＬ層１４に代えて無機ＥＬ層を使用した無機ＥＬ素子を備えた構成としてもよい。
【０１０３】
以下の技術的思想（発明）は前記実施形態から把握できる。
（１）発光領域となる複数の第１の領域と、前記第１の領域に挟まれた第２の領域とを備え、前記第２の領域は、前記第１の領域の発光状態において前記第２の領域の視認性を弱める視認性弱め手段を備えている。
【０１０４】
（２）請求項１〜請求項６及び前記技術的思想（１）のいずれか一項に記載の発明において、前記各第１の領域は、平行な帯状に形成されている。
（３）請求項８に記載の発明において、前記第１の領域は、線順次走査される画素電極の複数列を同時に照明可能な幅に形成されている。
【０１０５】
（４）請求項１〜請求項１１及び前記技術的思想（１）〜（３）のいずれか一項に記載の発明において、前記エレクトロルミネッセンス素子は、有機エレクトロルミネッセンス素子である。
【図面の簡単な説明】
【０１０６】
【図１】（ａ）は第１の実施形態における発光装置の模式平面図、（ｂ）は（ａ）のＡ−Ａ線における模式断面図、（ｃ）は（ａ）のＢ−Ｂ線における模式断面図。
【図２】（ａ）は第１の領域及び第２の領域の透明電極を示す模式平面図、（ｂ）は（ａ）のＣ−Ｃ線における模式断面図。
【図３】液晶パネルと発光装置の模式部分断面図。
【図４】駆動回路の概略構成図。
【図５】（ａ）は第２の実施形態における透明電極の模式平面図、（ｂ）は（ａ）のＤ−Ｄ線における模式断面図。
【図６】（ａ）は第３の実施形態における透明電極の模式部分平面図、（ｂ）は発光装置の模式断面図。
【図７】第４の実施形態における発光装置の模式平面図。
【図８】図７のＥ−Ｅ線における模式断面図。
【図９】（ａ）透明電極の模式平面図、（ｂ）は作用を説明する模式図。
【図１０】別の実施形態における発光装置の模式断面図。
【図１１】別の実施形態における発光装置の模式断面図。
【図１２】（ａ），（ｂ）は別の実施形態における透明電極の模式部分平面図。
【図１３】別の実施形態における端子部の構成を示す模式断面図。
【図１４】別の実施形態における第１の領域及び第２の領域の配置を示す模式図。
【図１５】別の実施形態における透明電極の模式平面図。
【図１６】従来技術のＥＬパネルの模式平面図。
【符号の説明】
【０１０７】
１１…発光装置、１３，１３Ｓ…第１電極としての透明電極、１３ａ…端子、１４…発光層としての有機ＥＬ層、１５…第２電極としての対向電極、１６…ＥＬ素子としての有機ＥＬ素子、１７…発光部、１９…第１の領域、２０…第２の領域、２０ａ…非発光領域、２０ｂ…発光領域、２２…拡散部材としての拡散シート、２３…帯状領域、３１…液晶表示装置、３２…液晶パネル、３５…液晶、４６…電圧印加手段としてのドライバ、４７…制御装置。
【図１】
2006324600.tif 000003
【図２】
2006324600.tif 000004
【図３】
2006324600.tif 000005
【図４】
2006324600.tif 000006
【図５】
2006324600.tif 000007
【図６】
2006324600.tif 000008
【図７】
2006324600.tif 000009
【図８】
2006324600.tif 000010
【図９】
2006324600.tif 000011
【図１０】
2006324600.tif 000012
【図１１】
2006324600.tif 000013
【図１２】
2006324600.tif 000014
【図１３】
2006324600.tif 000015
【図１４】
2006324600.tif 000016
【図１５】
2006324600.tif 000017
【図１６】
2006324600.tif 000018